(57)【要約】【課題】フィルターの目詰まりによるろ過量の減少を抑制し、かつ、脱水ケーキの剥離性を良好にできるろ過方法及びろ過装置を提供する。【解決手段】ろ過方法において、微粒子固形分を含む原液３１を供給ポンプ３３にて低圧でろ過室１５のシート状のフィルター２５へ送るとともに、ろ過室１５の出口側に設けた吸引ポンプ６１にて低圧吸引ろ過を行う吸引ろ過工程と、供給ポンプ３３を停止して乾燥圧縮空気５１をろ過室１５へ送ってフィルター上の残渣５３を加圧により脱水して脱水ケーキ５５とする通気脱水工程と、供給ポンプ３３を停止してフィルター上の脱水ケーキ５５の上に隔膜シート８５を被せ再び乾燥圧縮空気をろ過室１５へ送って更に脱水する隔膜脱水工程と、開放したろ過室１５からフィルター２５を移動してフィルター２５ごと脱水ケーキ５５をろ過室外部６９へ排出する脱水ケーキ排出工程と、を含む。【選択図】  図１
2014014786.tif 000002
【特許請求の範囲】
【請求項１】
微粒子固形分を含む原液を供給ポンプにて低圧でろ過室のシート状のフィルターへ送るとともに、前記ろ過室の出口側に設けた吸引ポンプにて低圧吸引ろ過を行う吸引ろ過工程と、
前記供給ポンプを停止して乾燥圧縮空気を前記ろ過室へ送ってフィルター上の残渣を加圧により脱水して脱水ケーキとする通気脱水工程と、
前記供給ポンプを停止してフィルター上の前記脱水ケーキの上に隔膜シートを被せ再び乾燥圧縮空気を前記ろ過室へ送って更に脱水する隔膜脱水工程と、
開放した前記ろ過室から前記フィルターを移動して前記フィルターごと前記脱水ケーキをろ過室外部へ排出する脱水ケーキ排出工程と、
を含むことを特徴とするろ過方法。
【請求項２】
ろ過室の出口側に設けた吸引ポンプにて微粒子固形分を含む原液を原液タンクから前記ろ過室内に吸引し、前記ろ過室のシート状のフィルターにて低圧吸引ろ過を行う吸引ろ過工程と、
前記原液タンク側の送液弁を閉じ、乾燥圧縮空気を前記ろ過室へ送ってフィルター上の残渣を加圧により脱水して脱水ケーキとする通気脱水工程と、
前記乾燥圧縮空気による加圧を停止してフィルター上の前記脱水ケーキの上に隔膜シートを被せ再び乾燥圧縮空気を前記ろ過室へ送って更に脱水する隔膜脱水工程と、
開放した前記ろ過室から前記フィルターを移動して前記フィルターごと前記脱水ケーキをろ過室外部へ排出する脱水ケーキ排出工程と、
を含むことを特徴とするろ過方法。
【請求項３】
内方にシート状のフィルターを備え微粒子固形分を含む原液が供給ポンプにて低圧で前記フィルターに送られるとともに、出口側に設けた吸引ポンプにて低圧吸引ろ過が行われるろ過室と、
前記供給ポンプが停止された状態で乾燥圧縮空気を前記ろ過室へ送ってフィルター上の残渣を加圧により脱水して脱水ケーキとする乾燥圧縮空気供給手段と、
前記供給ポンプが停止された状態でフィルター上の前記脱水ケーキの上に被せられる隔膜シートと、
開放した前記ろ過室から前記フィルターを移動して前記フィルターごと前記脱水ケーキをろ過室外部へ排出するフィルター移動手段と、
を具備することを特徴とするろ過装置。
【請求項４】
内方にシート状のフィルターを備え、出口側に設けた吸引ポンプにて微粒子固形分を含む原液を原液タンクから吸引して低圧吸引ろ過が行われるろ過室と、
前記原液タンク側の送液弁を閉じ、乾燥圧縮空気を前記ろ過室へ送ってフィルター上の残渣を加圧により脱水して脱水ケーキとする乾燥圧縮空気供給手段と、
前記乾燥圧縮空気の供給が停止された状態でフィルター上の前記脱水ケーキの上に被せられる隔膜シートと、
開放した前記ろ過室から前記フィルターを移動して前記フィルターごと前記脱水ケーキをろ過室外部へ排出するフィルター移動手段と、
を具備することを特徴とするろ過装置。
【請求項５】
請求項３または４記載のろ過装置であって、
前記ろ過室が、上蓋と下蓋とによって上下方向に閉鎖及び開放自在に構成され、
前記フィルターが、閉鎖された前記ろ過室の前記上蓋と前記下蓋とによって表裏方向から挟まれることを特徴とするろ過装置。
【請求項６】
請求項３または４または５記載のろ過装置であって、
フィルター移動手段が、
長尺の前記フィルターを巻装するフィルター繰出しロールと、
前記ろ過室を挟んで前記フィルター繰出しロールと反対側に設けられ前記フィルターを巻き取るフィルター巻取りロールと、を備え、
前記フィルターの新たな部分を前記ろ過室に供給可能とすることを特徴とするろ過装置。
【発明の詳細な説明】
【技術分野】
【０００１】
本発明は、柔らかいフロックなどを含んだ原液（廃液等）をろ過するろ過方法及びろ過装置に関する。
【背景技術】
【０００２】
細かい粒子が凝集してフロック（Ｆｌｏｃｋ）状となった原液をろ過する装置が知られている（例えば特許文献１参照）。このろ過室移動式自動ケーキ除去加圧ろ過脱水分離装置は、加圧ろ過作業終了後、油圧ジャッキの負荷を解除し、ろ過室にケーキが充填された状態でフィルターベルトをロールに巻き取り同時に濾枠を移動し、ろ過室を濾盤部とフィルター部と濾枠部に分離する。ケーキの充填された濾枠がブレイカーの直下で停止し、そのブレイカーの下降によりケーキを破壊除去する。ケーキ除去後、ブレイカー、濾枠、フィルターベルト、油圧ジャッキは逆方向に作動し、再度ろ過室を構成し上記ろ過脱水、開枠、ろ過室移動分離、ケーキ除去、ろ過室組立の循環作動をする。これにより、加圧ろ過脱水分離機における開枠ケーキ除去作業の無人化を可能としている。
【先行技術文献】
【特許文献】
【０００３】
【特許文献１】特開２０００−２８８３１３号公報
【発明の概要】
【発明が解決しようとする課題】
【０００４】
しかしながら、一般的に、高分子凝集剤により薬注処理した原液である水溶性塗料液を加圧ろ過した場合、フロック状の粒子が圧縮され、つぶされて目詰まりを発生させ、ろ過量を減少させる。また、フロック状の粒子同士の不定形状での互いの密着や目詰まりにより、脱水後のケーキ含水率が高くなり、その粘着性のため脱水ケーキのフィルターからの剥離性も悪くなる傾向がある。
【０００５】
本発明は上記状況に鑑みてなされたもので、その目的は、フィルターの目詰まりによるろ過量の減少を抑制しつつ、ケーキの含水率を小さくし、かつ、脱水ケーキの剥離性を良好にできるろ過方法及びろ過装置を提供することにある。
【課題を解決するための手段】
【０００６】
次に、上記の課題を解決するための手段を、実施の形態に対応する図面を参照して説明する。
本発明の請求項１記載のろ過方法は、微粒子固形分を含む原液３１を供給ポンプ３３にて低圧でろ過室１５のシート状のフィルター２５へ送るとともに、前記ろ過室１５の出口側に設けた吸引ポンプ６１にて低圧吸引ろ過を行う吸引ろ過工程と、
前記供給ポンプ３３を停止して乾燥圧縮空気５１を前記ろ過室１５へ送ってフィルター上の残渣５３を加圧により脱水して脱水ケーキ５５とする通気脱水工程と、
前記供給ポンプ３３を停止してフィルター上の前記脱水ケーキ５５の上に隔膜シート８５を被せ再び乾燥圧縮空気５１を前記ろ過室１５へ送って更に脱水する隔膜脱水工程と、
開放した前記ろ過室１５から前記フィルター２５を移動して前記フィルター２５ごと前記脱水ケーキ５５をろ過室外部６９へ排出する脱水ケーキ排出工程と、
を含むことを特徴とする。
【０００７】
このろ過方法では、吸引ろ過工程において、供給ポンプ３３にて原液３１が低圧でろ過室１５へ送られ、同時にろ過室１５の出口側に設けてある吸引ポンプ６１で低圧吸引ろ過が行われ、ろ過液が外部へ排出される。この吸引ろ過工程では、粒子が圧縮されて潰れて変形し、目詰まりして液が流れにくくなる加圧ろ過に比べ、粒子があまり潰されないので、粒子間の隙間から液が抵抗なく流れる。通気脱水工程において、設定されたろ過量に達すると供給ポンプ３３が停止され、乾燥圧縮空気５１が送られることで、ろ過室１５内の残液が処理される通気脱水が行われる。ろ過室１５が設定圧力以下及び設定時間に達すると通気脱水は終了し、ろ過室１５内の残圧が逃がしバルブを開けることで大気開放される。隔膜脱水工程において、ろ過室１５が開放され、脱水ケーキ５５の上に隔膜シート８５が被せられる。ろ過室１５が閉鎖された後、再びろ過室１５内に乾燥圧縮空気５１が送られ、隔膜シート上側表面に圧縮空気圧力が加えられ、更に水分が絞り出される。この隔膜脱水工程では、脱水ケーキ５５の含水率が小さくなり、それによって粘着性が小さくなることで、脱水ケーキ５５がフィルター２５から剥がれ易くなる。設定時間に達すると隔膜脱水は完了となり、脱水ケーキ排出工程において、吸引ポンプ６１が停止されると同時に、ろ過室１５内の残圧が逃がしバルブを開けることで大気開放される。ろ過室１５が開放され、脱水ケーキ５５はフィルター２５と一緒にろ過室外部６９へ排出される。
【０００８】
本発明の請求項２記載のろ過方法は、ろ過室１５の出口側に設けた吸引ポンプ６１にて微粒子固形分を含む原液３１を原液タンク２７から前記ろ過室１５内に吸引し、前記ろ過室１５のシート状のフィルター２５にて低圧吸引ろ過を行う吸引ろ過工程と、
前記原液タンク２７側の送液弁３７を閉じ、乾燥圧縮空気５１を前記ろ過室１５へ送ってフィルター２５上の残渣５３を加圧により脱水して脱水ケーキ５５とする通気脱水工程と、
前記乾燥圧縮空気５１による加圧を停止してフィルター２５上の前記脱水ケーキ５５の上に隔膜シート８５を被せ再び乾燥圧縮空気５１を前記ろ過室１５へ送って更に脱水する隔膜脱水工程と、
開放した前記ろ過室１５から前記フィルター２５を移動して前記フィルター２５ごと前記脱水ケーキ５５をろ過室外部６９へ排出する脱水ケーキ排出工程と、
を含むことを特徴とする。
【０００９】
このろ過方法では、吸引ろ過工程において、ろ過室１５の出口側に設けてある吸引ポンプ６１にて原液タンク２７から原液３１が低圧でろ過室１５へ送られ、同時に低圧吸引ろ過が行われ、ろ過液が外部へ排出される。この吸引ろ過工程では、粒子が圧縮されて潰れて変形し、目詰まりして液が流れにくくなる加圧ろ過に比べ、粒子がほぼ潰されないので、粒子間の隙間から液が抵抗なく流れる。通気脱水工程において、設定されたろ過量に達すると、送液弁３７が閉じて乾燥圧縮空気５１が送られることで、ろ過室１５内の残液が処理される通気脱水が行われる。ろ過室１５が設定圧力以下及び設定時間に達すると通気脱水は終了し、ろ過室１５内の残圧が逃がしバルブを開けることで大気開放される。隔膜脱水工程において、ろ過室１５が開放され、脱水ケーキ５５の上に隔膜シート８５が被せられる。ろ過室１５が閉鎖された後、再びろ過室１５内に乾燥圧縮空気５１が送られ、隔膜シート上側表面に圧縮空気圧力が加えられ、更に水分が絞り出される。この隔膜脱水工程では、脱水ケーキ５５の含水率がさらに小さくなり、それによって粘着性が小さくなることで、脱水ケーキ５５がフィルター２５から剥がれ易くなる。設定時間に達すると隔膜脱水は完了となり、脱水ケーキ排出工程において、吸引ポンプ６１が停止されると同時に、ろ過室１５内の残圧が逃がしバルブを開けることで大気開放される。ろ過室１５が開放され、脱水ケーキ５５はフィルター２５と一緒にろ過室外部６９へ排出される。
【００１０】
本発明の請求項３記載のろ過装置１１は、内方にシート状のフィルター２５を備え微粒子固形分を含む原液３１が供給ポンプ３３にて低圧で前記フィルター２５に送られるとともに、出口側に設けた吸引ポンプ６１にて低圧吸引ろ過が行われるろ過室１５と、
前記供給ポンプ３３が停止された状態で乾燥圧縮空気５１を前記ろ過室１５へ送って前記フィルター２５上の残渣５３を加圧により脱水して脱水ケーキ５５とする乾燥圧縮空気供給手段４７と、
前記供給ポンプ３３が停止された状態で前記フィルター２５上の前記脱水ケーキ５５の上に被せられる通気性を有する隔膜シート８５と、
開放した前記ろ過室１５から前記フィルター２５を移動して前記フィルター２５ごと前記脱水ケーキ５５をろ過室外部６９へ排出するフィルター移動手段６７と、
を具備することを特徴とする。
【００１１】
このろ過装置１１では、ろ過室１５において、供給ポンプ３３にて原液３１が低圧で送られ、同時に出口側に設けてある吸引ポンプ６１で低圧吸引ろ過が行われ、ろ過液が外部へ排出される。乾燥圧縮空気供給手段４７によって、ろ過室１５に乾燥圧縮空気５１が送られ、ろ過室１５内の残液が処理される通気脱水が行われる。隔膜シート８５は、ろ過室１５が開放された後、脱水ケーキ５５の上に被せられる。ろ過室１５が閉鎖された後、再びろ過室１５内に乾燥圧縮空気５１が送られ、隔膜シート８５上側表面に圧縮空気圧力が加えられ、脱水ケーキ５５から更に水分が絞り出される。設定時間に達することで隔膜脱水の終了した脱水ケーキ５５は、フィルター移動手段６７により、フィルター２５と一緒にろ過室外部６９へ排出される。
【００１２】
本発明の請求項４記載のろ過装置１１Ａは、内方にシート状のフィルター２５を備え、出口側に設けた吸引ポンプ６１にて微粒子固形分を含む原液３１を原液タンク２７から吸引して低圧吸引ろ過が行われるろ過室１５と、
前記原液タンク２７側の送液弁３７を閉じ、乾燥圧縮空気５１を前記ろ過室５１へ送ってフィルター２５上の残渣５３を加圧により脱水して脱水ケーキ５５とする乾燥圧縮空気供給手段４７と、
前記乾燥圧縮空気５１の供給が停止された状態でフィルター２５上の前記脱水ケーキ５５の上に被せられる通気性を有する隔膜シート８５と、
開放した前記ろ過室１５から前記フィルター２５を移動して前記フィルター２５ごと前記脱水ケーキ５５をろ過室外部６９へ排出するフィルター移動手段６７と、
を具備することを特徴とする。
【００１３】
このろ過装置１１Ａでは、ろ過室１５において、出口側に設けてある吸引ポンプ６１にて原液タンク２７から原液３１が低圧で吸引され、同時に低圧吸引ろ過が行われ、ろ過液が外部へ排出される。乾燥圧縮空気供給手段４７によって、ろ過室１５に乾燥圧縮空気５１が送られ、ろ過室１５内の残液が処理される通気脱水が行われる。隔膜シート８５は、ろ過室１５が開放された後、脱水ケーキ５５の上に被せられる。ろ過室１５が閉鎖された後、再びろ過室１５内に乾燥圧縮空気５１が送られ、隔膜シート８５上側表面に圧縮空気圧力が加えられ、脱水ケーキ５５から更に水分が絞り出される。設定時間に達することで隔膜脱水の終了した脱水ケーキ５５は、フィルター移動手段６７により、フィルター２５と一緒にろ過室外部６９へ排出される。
【００１４】
本発明の請求項５記載のろ過装置１１は、請求項３または４記載のろ過装置１１であって、
前記ろ過室１５が、上蓋１７と下蓋１９とによって上下方向に閉鎖及び開放自在に構成され、
前記フィルター２５が、閉鎖された前記ろ過室１５の前記上蓋１７と前記下蓋１９とによって表裏方向から挟まれることを特徴とする。
【００１５】
このろ過装置１１では、例えば下蓋１９を架台１３に固定し、架台１３に油圧シリンダー２１を固定してその駆動シャフト２３に上蓋１７を固定することで、簡素な構造で、ろ過室１５を高強度に、かつ、開閉自在に構成できる。
【００１６】
本発明の請求項６記載のろ過装置１１は、請求項３または４または５記載のろ過装置１１であって、
フィルター移動手段６７が、長尺の前記フィルター２５を巻装するフィルター繰出しロール７１と、
前記ろ過室１５を挟んで前記フィルター繰出しロール７１と反対側に設けられ前記フィルター２５を巻き取るフィルター巻取りロール７３と、を備え、
前記フィルター２５の新たな部分を前記ろ過室１５に供給可能とすることを特徴とする。
【００１７】
このろ過装置１１では、油圧シリンダー２１により上蓋１７を引き上げ、ろ過室１５を開放し、フィルター巻取りロール７３を設定位置まで移動すると、脱水ケーキ５５がフィルター２５と一緒にろ過室外部６９へ排出される。同時に、フィルター繰出しロール７１からは新たな部分が繰り出されてろ過室１５に供給される。フィルター繰出しロール７１のフィルター２５が全て繰り出された後、フィルター巻取りロール７３に巻かれたフィルター２５がフィルター繰出しロール７１に巻き戻されることにより、フィルター２５の再利用が可能となる。
【発明の効果】
【００１８】
本発明に係る請求項１記載のろ過方法によれば、フィルターの目詰まりによるろ過量の減少を抑制し、フィルター上の脱水ケーキの含水率を小さくして、かつ、脱水ケーキの剥離性を良好にできる。
【００１９】
本発明に係る請求項２記載のろ過方法によれば、原液を吸引ポンプのみでろ過室内に送りろ過することから、柔らかく壊れやすいフロックを含む原液に好適となり、フロックや粒子が圧縮されて潰れて変形したり損壊することが抑制され、フィルターの目詰まりを早めることなくろ過量の減少を抑え、更にフィルター上の脱水ケーキの含水率を小さくして、かつ、脱水ケーキの剥離性を良好にできる。
【００２０】
本発明に係る請求項３記載のろ過装置によれば、フィルターの目詰まりによるろ過量の減少を抑制し、フィルター上の脱水ケーキを隔膜シートにて絞り、含水率を小さくして、かつ、脱水ケーキの剥離性を良好にできる。
【００２１】
本発明に係る請求項４記載のろ過装置によれば、原液を吸引ポンプのみでろ過室内に送りろ過することから、柔らかく壊れやすいフロックを含む原液に好適となり、フロックや粒子が圧縮されて潰れて変形したり損壊することが抑制され、フィルターの目詰まりを早めることなくろ過量の減少を抑え、更にフィルター上の脱水ケーキの含水率を小さくして、かつ、脱水ケーキの剥離性を良好にできる。
【００２２】
本発明に係る請求項５記載のろ過装置によれば、簡素な構造でろ過室の内方を、フィルターを挟んで二分割することができ、脱水ケーキの排出、フィルターの交換も容易となる。
【００２３】
本発明に係る請求項６記載のろ過装置によれば、脱水ケーキを容易に排出し、フィルターの交換が容易に行え、使用済みフィルターをフィルター巻取りロールに巻き取ることで、ろ過の連続処理が行なえるとともに、フィルター繰出しロールとして再利用が容易にできる。
【図面の簡単な説明】
【００２４】
【図１】本発明に係る第１の実施形態のろ過装置を表す側面図である。
【図２】図１に示したろ過装置における吸引ろ過工程の動作説明図である。
【図３】図１に示したろ過装置における通気脱水工程の動作説明図である。
【図４】図１に示したろ過装置における隔膜脱水工程の動作説明図である。
【図５】図１に示したろ過装置における脱水ケーキ排出工程の動作説明図である。
【図６】本発明に係る第２の実施形態のろ過装置を表す側面図である。
【図７】図６に示したろ過装置における吸引ろ過工程の動作説明図である。
【図８】図６に示したろ過装置における通気脱水工程の動作説明図である。
【図９】図６に示したろ過装置における隔膜脱水工程の動作説明図である。
【図１０】図６に示したろ過装置における脱水ケーキ排出工程の動作説明図である。
【図１１】実施例に使用したテスト用ろ過装置の概念図である。
【発明を実施するための形態】
【００２５】
以下、本発明に係る各実施形態を図面を参照して説明する。
図１は本発明に係る第１の実施形態のろ過装置を表す側面図、図２は図１に示したろ過装置における吸引ろ過工程の動作説明図、図３は図１に示したろ過装置における通気脱水工程の動作説明図、図４は図１に示したろ過装置における隔膜脱水工程の動作説明図、図５は図１に示したろ過装置における脱水ケーキ排出工程の動作説明図である。
第１の実施形態に係るろ過装置１１は、架台１３にろ過室１５が支持される。ろ過室１５は、トレイ状の上蓋１７と下蓋１９とからなり、下蓋１９が架台１３に支持され、上蓋１７が架台１３に固定された油圧シリンダー２１の駆動シャフト２３に固定される。ろ過室１５は、上蓋１７と下蓋１９とによって上下方向に閉鎖及び開放自在に構成され、ろ材である例えばペーパー状のフィルター２５が、閉鎖されたろ過室１５の上蓋１７と下蓋１９とによって表裏方向から挟まれる。
【００２６】
ろ過室１５の上蓋１７は、原液タンク２７と供給管２９によって接続される。供給管２９には原液タンク２７の原液３１をろ過室１５に供給するための供給ポンプ３３が介装される。この供給ポンプ３３は、スラリーポンプ（ダイヤフラムポンプ）よりなる。供給ポンプ３３と上蓋１７との間の供給管２９には、流路開閉用の第１バルブ３５及び第１電磁バルブ３７と、圧力計９５とが介装される。なお、供給ポンプ３３と上蓋１７との間の供給管２９には、ろ過室１５の原液３１を原液タンク２７へ戻す還管４１が接続される。還管４１には流路開閉用の第２バルブ４３が介装されている。
【００２７】
また、上蓋１７には加圧管４５が接続され、加圧管４５は乾燥圧縮空気供給手段４７と接続される。加圧管４５には、流路開閉用の第３バルブ４９が介装される。乾燥圧縮空気供給手段４７は、供給ポンプ３３が停止された状態で乾燥圧縮空気５１（図３参照）をろ過室１５へ送ってフィルター上の残渣５３を加圧により脱水して、脱水ケーキ５５（図５参照）とする。
【００２８】
ろ過室１５の下蓋１９には吸引管５７が接続され、吸引管５７にはろ過室１５内のろ過水５９及び空気を吸引可能とする吸引ポンプ６１及びその流量を見る流量計３９が介装されている。このようにして、ろ過室１５は、内方に略水平となるシート状のフィルター２５を備え、微粒子固形分を含む原液３１が供給ポンプ３３にて低圧でフィルター２５に上方から送られるとともに、下方の出口側に設けた吸引ポンプ６１にて低圧吸引ろ過が行われるようになされている。なお、この吸引ポンプ６１は、上記供給ポンプ３３と同様に、スラリーポンプ（ダイヤフラムポンプ）より構成される。
【００２９】
ろ過室１５は、上蓋１７が油圧シリンダー２１によって昇降自在となる。上蓋１７及び下蓋１９は、開口形状が四角形で形成される。下蓋１９の平行な一対の二辺部には、この二辺部に沿ってそれぞれに下側保持部材６３が設けられている。また、上蓋１７にも下側保持部材６３に対向する上側保持部材６５が設けられている。これら下側保持部材６３及び上側保持部材６５は、上蓋１７が昇降することにより、離反及び接近する。
【００３０】
ろ過室１５の近傍にはフィルター移動手段６７が設けられている。フィルター移動手段６７は、開放したろ過室１５からフィルター２５を移動して、フィルター２５ごと脱水ケーキ５５をろ過室外部６９へ排出する。フィルター移動手段６７は、長尺のフィルター２５を巻装するフィルター繰出しロール７１と、ろ過室１５を挟んでフィルター繰出しロール７１と反対側に設けられフィルター２５を巻き取るフィルター巻取りロール７３と、を備える。フィルター繰出しロール７１から繰り出されたフィルター２５は、第１ガイドローラー７５によって走行方向が変更される。ろ過室１５から巻き取られるフィルター２５は、第２ガイドローラー７７によって走行方向が変更される。フィルター移動手段６７は、手動、モーター駆動のいずれで駆動されてもよい。フィルター移動手段６７は、フィルター巻取りロール７３とフィルター繰出しロール７１とが同期して回転されることにより、フィルター２５の新たな部分をろ過室１５に供給可能としている。
【００３１】
第２ガイドローラー７７によって下向きに走行路が変更されるフィルター２５の上方にはスクレーパー７９が設けられ、スクレーパー７９はフィルター上の脱水ケーキ５５を掻き取る。掻き取られた脱水ケーキ５５は、下方に設置される廃棄トレイ８１に投下される。
【００３２】
なお、フィルター２５は、図示しないが、下蓋内の金属製メッシュと、パンチングメタルからなるろ材支えによって支えられる。
【００３３】
また、フィルター移動手段６７の上方には隔膜シート移動手段８３が設けられている。隔膜シート移動手段８３は、長尺の隔膜シート８５を巻装するシート繰出しロール８７と、ろ過室１５を挟んでシート繰出しロール８７と反対側に設けられ隔膜シート８５を巻き取るシート巻取りロール８９と、を備える。隔膜シート８５は、通気性を有するシートで、水分が逆流しない程度で、通気性を備えたシートとする。例えば防湿透水性素材ゴアテックス（登録商標）を用いることができる。隔膜シート移動手段８３は、手動、モーター駆動のいずれで駆動されてもよい。隔膜シート移動手段８３は、シート巻取りロール８９とシート繰出しロール８７とが同期して回転されることにより、隔膜シート８５の新たな部分を、フィルター上の脱水ケーキ５５の上に被せるように供給可能としている。
【００３４】
これら、フィルター２５、隔膜シート８５は、下側保持部材６３及び上側保持部材６５によって挟まれて張架される。
【００３５】
次に、上記ろ過装置１１の作用を説明する。
上記構成を有するろ過装置１１では、ろ過室１５において、供給ポンプ３３にて原液３１が低圧で送られ、同時に出口側に設けてある吸引ポンプ６１で低圧吸引ろ過が行われ、ろ過水５９が外部へ排出される。乾燥圧縮空気供給手段４７によって、ろ過室１５に乾燥圧縮空気５１が送られ、ろ過室１５内の残液が処理される通気脱水が行われる。隔膜シート８５は、ろ過室１５が開放された後、脱水ケーキ５５の上に被せられる。ろ過室１５が閉鎖された後、再びろ過室１５内に乾燥圧縮空気５１が送られ、隔膜シート上側表面に圧縮空気圧力が加えられ、脱水ケーキ５５から更に水分が絞り出される。設定時間に達することで隔膜脱水の終了した脱水ケーキ５５は、フィルター移動手段６７により、フィルター２５と一緒にろ過室外部６９へ排出される。
【００３６】
また、下蓋１９を架台１３に固定し、架台１３に油圧シリンダー２１を固定してその駆動シャフト２３に上蓋１７を固定することで、簡素な構造で、ろ過室１５を高強度に、かつ、開閉自在に構成されている。これにより、ろ過室１５の内方を、フィルター２５を挟んで上下二分割することができ、フィルター２５の交換も容易となる。
【００３７】
更に、油圧シリンダー２１により上蓋１７を引き上げろ過室１５を開放し、フィルター巻取りロール７３を設定位置まで移動すると、脱水ケーキ５５がフィルター２５と一緒にろ過室外部６９へ排出される。同時に、フィルター繰出しロール７１からは新たな部分が繰り出されてろ過室１５に供給される。フィルター繰出しロール７１のフィルター２５が全て繰り出された後、フィルター巻取りロール７３に巻かれたフィルター２５がフィルター繰出しロール７１に巻き戻されることにより、フィルター２５の再利用が可能となる。これにより、フィルター２５の交換が容易に行え、使用済みフィルター２５をフィルター巻取りロール７３に巻き取ることで、フィルター繰出しロール７１として再利用が容易にできる。
【００３８】
次に、上記構成のろ過装置１１を用いたろ過方法を説明する。
［吸引ろ過工程］
ろ過装置１１を用いたろ過方法では、まず、図２に示すように、微粒子固形分を含む原液３１を供給ポンプ３３にて低圧でろ過室１５のシート状のフィルター２５へ上方より送るとともに、ろ過室１５の下方の出口側に設けた吸引ポンプ６１にて低圧吸引ろ過を行う。ろ過室１５内を減圧、すなわち吸引ポンプ６１で吸引してろ過する際は、ろ過室１５に圧縮空気を送りこまなくてよい。ろ過室１５内に、連続して原液３１を送り込み、同時に吸引ポンプ６１でフィルター２５を介して減圧ろ過する。送り込み時には低いが送液の圧力は存在する。ろ過室１５空間内に連続して原液３１を送り込むことから、徐々にフィルター２５に残渣５３が溜まる。従って、所定時間、あるいは所定流量に達した時点で、送液を止め、吸引（減圧）を止める。この停止タイミングは、時間の場合はタイマー、流量の場合はろ過後の流量を流量計３９によって決める他、各種センサによって決められて制御することとしてもよい。本実施形態では、ろ過水５９は、流量計を通り外部へ排出される。この吸引ろ過工程では、粒子が圧縮されて潰れて変形し、目詰まりして液が流れにくくなる加圧ろ過に比べ、粒子があまり潰されないので、粒子間の隙間からろ液が抵抗なく流れる。
【００３９】
［通気脱水工程］
図３に示すように、設定されたろ過量に達すると供給ポンプ３３が停止され、乾燥圧縮空気５１が送られることで、ろ過室１５内の残液が処理される通気脱水が行われる。すなわち、乾燥圧縮空気５１をろ過室１５へ送ってフィルター上の残渣５３を加圧により脱水して脱水ケーキ５５とする。ろ過室１５が設定圧力以下及び設定時間に達すると通気脱水は終了し、ろ過室１５内の残圧が逃がしバルブ（第２バルブ４３）を開けることで大気開放される。
【００４０】
［隔膜脱水工程］
図４に示すように、供給ポンプ３３を停止してから、油圧シリンダー２１により上蓋１７を引き上げてろ過室１５を開放し、隔膜シート移動手段８３を作動させて脱水ケーキ５５の上に隔膜シート８５を被せる。ろ過室１５が閉鎖された後、再びろ過室１５内に乾燥圧縮空気５１が送られ、隔膜シート８５上側表面に圧縮空気圧力が加えられ、更に水分が絞り出される。この隔膜脱水工程では、脱水ケーキ５５の含水率が小さくなり、それによって粘着性が小さくなることで、脱水ケーキ５５がフィルター２５から剥がれ易くなる。
【００４１】
［脱水ケーキ排出工程］
図５に示すように、設定時間に達すると隔膜脱水は完了となり、脱水ケーキ排出工程において、吸引ポンプ６１が停止されると同時に、ろ過室１５内の残圧が逃がしバルブを開けることで大気開放される。油圧シリンダー２１により上蓋１７を引き上げてろ過室１５を開放し、隔膜シート移動手段８３で隔膜シート８５を設定位置まで戻すとともに、脱水ケーキ５５をフィルター２５と一緒にろ過室外部６９へ排出する。ろ過室外部６９へ排出された脱水ケーキ５５は、スクレーパー７９によって掻き取られ、フィルター２５と分離されて廃棄トレイ８１へ投下される。脱水ケーキ５５の除去されたフィルター２５は、フィルター巻取りロール７３によって巻き取られ、再利用可能な状態となる。
【００４２】
従って、本実施形態に係るろ過方法及びろ過装置１１によれば、フィルター２５の目詰まりによるろ過量の減少を抑制し、脱水ケーキ５５の含水率を小さくして、かつ、脱水ケーキ５５のフィルター２５からの剥離性を良好にできる。
【００４３】
図６は本発明に係る第２の実施形態のろ過装置を表す側面図、図７は図６に示したろ過装置における吸引ろ過工程の動作説明図、図８は図６に示したろ過装置における通気脱水工程の動作説明図、図９は図６に示したろ過装置における隔膜脱水工程の動作説明図、図１０は図６に示したろ過装置における脱水ケーキ排出工程の動作説明図である。なお、図１〜図５に示した部材と同等の部材には同一の符号を付し重複する説明は省略する。
【００４４】
本発明の第２の実施形態に係るろ過装置１１Ａは、上述した第１の実施形態のろ過装置１１と略同等に構成されているが、供給ポンプ３３及び還管４１，第２バルブ４３が省略された構成とされる。すなわち、この第２の実施形態では、ろ過室１５の出口側に設けた吸引ポンプ６１にて、ろ過室１５に供給管２９を介して接続される原液タンク２７から原液３１を吸引してろ過室１５内へ供給し、且つフィルター２５を介してろ過を行なう構成となっている。そして、この第２の実施形態では、原液タンク２７の底部に供給管２９が接続され、この供給管２９がろ過室１５の上蓋１７に接続される。供給管２９には、図６に示すように、流路開閉用の第１バルブ３５と、送液弁となる第１電磁バルブ３７、及び圧力計９５が介装される。
【００４５】
次に、上記第２の実施形態のろ過装置１１Ａの作用を説明する。
ろ過装置１１Ａでは、ろ過室１５において、出口側に設けてある吸引ポンプ６１にて原液３１がろ過室１５及びフィルター２５を介して吸引され、低圧吸引ろ過が行われ、ろ過水５９が外部へ排出される。乾燥圧縮空気供給手段４７によって、ろ過室１５に乾燥圧縮空気５１が送られ、ろ過室１５内の残液が処理される通気脱水が行われる。隔膜シート８５は、ろ過室１５が開放された後、脱水ケーキ５５の上に被せられる。ろ過室１５が閉鎖された後、再びろ過室１５内に乾燥圧縮空気５１が送られ、隔膜シート上側表面に圧縮空気圧力が加えられ、脱水ケーキ５５から更に水分が絞り出される。設定時間に達することで隔膜脱水の終了した脱水ケーキ５５は、フィルター移動手段６７により、フィルター２５と一緒にろ過室外部６９へ排出される。
【００４６】
また、下蓋１９を架台１３に固定し、架台１３に油圧シリンダー２１を固定してその駆動シャフト２３に上蓋１７を固定することで、簡素な構造で、ろ過室１５を高強度に、かつ、開閉自在に構成されている。これにより、ろ過室１５の内方を、フィルター２５を挟んで上下二分割することができ、フィルター２５の交換も容易となる。
【００４７】
更に、油圧シリンダー２１により上蓋１７を引き上げろ過室１５を開放し、フィルター巻取りロール７３を設定位置まで移動すると、脱水ケーキ５５がフィルター２５と一緒にろ過室外部６９へ排出される。同時に、フィルター繰出しロール７１からは新たな部分が繰り出されてろ過室１５に供給される。フィルター繰出しロール７１のフィルター２５が全て繰り出された後、フィルター巻取りロール７３に巻かれたフィルター２５がフィルター繰出しロール７１に巻き戻されることにより、フィルター２５の再利用が可能となる。これにより、フィルター２５の交換が容易に行え、使用済みフィルター２５をフィルター巻取りロール７３に巻き取ることで、フィルター繰出しロール７１として再利用が容易にできる。
【００４８】
次に、上記構成のろ過装置１１Ａを用いたろ過方法を説明する。
［吸引ろ過工程］
ろ過装置１１Ａを用いたろ過方法では、まず、図７に示すように、原液タンク２７に貯留された微粒子固形分を含む原液３１を、ろ過室１５の下方の出口側に接続されている吸引ポンプ６１に吸引し、供給管２９を介して低圧でろ過室１５のシート状のフィルター２５へ上方より送るとともに、ろ過室１５出口側の吸引ポンプ６１にて低圧吸引ろ過を行う。ろ過室１５内を減圧、すなわち吸引ポンプ６１で吸引してろ過する際は、ろ過室１５に圧縮空気を送りこまず、吸引力のみとする。ろ過室１５内に、連続して原液３１が吸入、供給され、吸引ポンプ６１でフィルター２５を介して減圧ろ過する。ろ過室１５空間内に連続して原液３１が原液タンク２７より供給され吸引されることから、徐々にフィルター２５に残渣５３が溜まる。従って、所定時間、あるいは所定流量に達した時点で、吸引（減圧）を止める。この停止タイミングは、時間の場合はタイマー、流量の場合はろ過後の流量を流量計３９によって決める他、各種センサによって決められて制御することとしてもよい。本実施形態では、ろ過水５９は、流量計を通り外部へ排出される。この吸引ろ過工程では、第１の実施形態に比べ、供給ポンプ３３の無い構成としていることから、原液３１に対して供給側から圧力が加わらず、吸引のみでろ過室１５内への供給及びろ過が行なわれることとなる。このことから、原液３１中の粒子、すなわちフロックに対しての圧力が無く、フロックが柔らかく壊れやすい状態である場合に、フロックを壊さずフィルター２５へ導き、フィルター２５上で粒子間の隙間からろ液が抵抗なく流れる。
【００４９】
［通気脱水工程］
図８に示すように、設定されたろ過量または時間に達すると、原液タンク２７に接続される供給管２９側の送液弁（第１電磁バルブ）３７が閉じ、乾燥圧縮空気５１が送られることで、ろ過室１５内の残液が処理される通気脱水が行われる。すなわち、乾燥圧縮空気５１をろ過室１５へ送ってフィルター上の残渣５３を加圧により脱水して脱水ケーキ５５とする。ろ過室１５が設定圧力以下及び設定時間に達すると通気脱水は終了する。なお、ろ過室１５内の残圧は逃がしバルブ（図示せず）を開けることで大気開放される。
【００５０】
［隔膜脱水工程］
図９に示すように、吸引ポンプ６１を停止し、乾燥圧縮空気５１の送出を停止してから、油圧シリンダー２１により上蓋１７を引き上げてろ過室１５を開放し、隔膜シート移動手段８３を作動させて脱水ケーキ５５の上に隔膜シート８５を被せる。ろ過室１５が閉鎖された後、再びろ過室１５内に乾燥圧縮空気５１が送られ、隔膜シート８５上側表面に圧縮空気圧力が加えられ、更に水分が絞り出される。この隔膜脱水工程では、脱水ケーキ５５の含水率が小さくなり、それによって粘着性が小さくなることで、脱水ケーキ５５がフィルター２５から剥がれ易くなる。
【００５１】
［脱水ケーキ排出工程］
図１０に示すように、設定時間に達すると隔膜脱水は完了となり、脱水ケーキ排出工程において、吸引ポンプ６１が停止されると同時に、ろ過室１５内の残圧が逃がしバルブを開けることで大気開放される。油圧シリンダー２１により上蓋１７を引き上げてろ過室１５を開放し、隔膜シート移動手段８３で隔膜シート８５を設定位置まで戻すとともに、脱水ケーキ５５をフィルター２５と一緒にろ過室外部６９へ排出する。ろ過室外部６９へ排出された脱水ケーキ５５は、スクレーパー７９によって掻き取られ、フィルター２５と分離されて廃棄トレイ８１へ投下される。脱水ケーキ５５の除去されたフィルター２５は、フィルター巻取りロール７３によって巻き取られ、再利用可能な状態となる。
【００５２】
従って、本実施形態に係るろ過方法及びろ過装置１１Ａによれば、フィルター２５の目詰まりによるろ過量の減少を抑制し、脱水ケーキ５５の含水率を小さくして、かつ、脱水ケーキ５５のフィルター２５からの剥離性を良好にできる。また、吸引ポンプ６１にて原液３１を吸引によってろ過することから、ろ過前の原液３１には加圧力等が加わらず、すなわち供給管２９を移動するのみで直接触れることがないことから、原液３１中のフロックが壊れず、フィルター２５の目詰まりを早めることがなく、処理量の低下を招くことが無い。すなわち、フロックが柔らかく壊れやすい場合のろ過に好適となる。
【実施例】
【００５３】
次に、上記実施形態と同等の構成でテスト用ろ過装置９１を製作し、異なるテスト条件でテストサンプル液をろ過して処理能力を評価した結果を説明する。
図１１は実施例に使用したテスト用ろ過装置９１の隔膜脱水工程時の概念図である。なお、上記実施形態で説明した部材と同等の部材には同一の符号を付した。
テストサンプル液には、水溶性塗料を薬注処理した液を使用した。
テストサンプル液の固形分濃度は、９．４９〜９．８６Ｋｇ／ｍ3 とされ約１％とした。
テストサンプル液は、非常に沈降性が速く、フロック化した粒子自身が水を含んでいた。
【００５４】
テスト用ろ過装置９１は、上蓋１７と下蓋１９とによってろ過室本体９３を挟む構造とした。隔膜シート８５は、ろ過室本体９３と下蓋１９とによって挟んだ。なお、真空ポンプによる減圧は、−３００〜−４００ｍｍＨｇとし、加圧エアーの圧力は、０．３ＭＰａとした。
【００５５】
［フィルター］  
広瀬製紙株式会社製  不織布  ＢＦＮ７
材質：ビニロン
厚み：０．２６ｍｍ
目付：９５．２ｇ／ｍ2 
平均バブルポイント：２０．２μｍ
［隔膜シート］
日本ゴア株式会社製  ＷＪ０５ＰＷＢ
材質：ポリプロピレン
厚み：１．０ｍｍ
通気度：９ｍｌ／ｃｍ2 ／ｍｉｎ
【００５６】
テスト１……濃度１％  加圧ろ過→通気脱水→隔膜脱水
テスト２Ａ…濃度１％  吸引ろ過→通気脱水→隔膜脱水
テスト２Ｂ…濃度１％  吸引ろ過→通気脱水→隔膜脱水（２回目）
（テスト２Ａのフィルター２５を使用）
テスト２Ｃ…濃度１％  吸引ろ過→通気脱水→隔膜脱水（３回目）
（テスト２Ｂのフィルター２５を使用）
テスト２Ｄ…濃度１％  吸引ろ過→通気脱水→隔膜脱水（４回目）
（テスト２Ｃのフィルター２５を使用）
テスト３……濃度１．５％  吸引ろ過→通気脱水→隔膜脱水
テスト４……濃度１％  吸引ろ過→通気脱水
【００５７】
テスト１，２，３は、本発明のろ過方法である隔膜脱水を行なったものであり、そのうちのテスト１は、ろ過室に対して出口側に吸引ポンプ６１を使用せず供給側の加圧ポンプ（供給ポンプ３３）のみを使用し、テスト２及び３については、供給側を加圧せずに吸引ポンプ６１を使用した。また、テスト４は、隔膜脱水を行なわない従来のろ過方法である。なお、テスト２においては、フィルター２５を１，２，３，４回と継続させて使用して、それぞれテスト２Ａ，２Ｂ，２Ｃ，２Ｄとし、ろ過工程を行なった結果である。
【００５８】
【表１】
2014014786.tif 000003
【００５９】
表１から分かるように、隔膜脱水を行なわない従来のろ過方法（テスト４）に比べ、隔膜脱水を行なう本発明のろ過方法（テスト１，２，３）ではケーキの含水率が大幅に減少し、ろ過処理量の向上が見られるとともに、脱水ケーキのフィルターからの剥離性が向上した。また、テスト１とテスト２の処理量を比較すると吸引ポンプを使用するテスト２の方がよい結果を得た。これにより、低圧で吸引ろ過を行うことで、固形分が圧縮されない状態でろ過が進み、目詰まりしにくくなることが知見できた。
【符号の説明】
【００６０】
１１，１１Ａ…ろ過装置
１５…ろ過室
１７…上蓋
１９…下蓋
２５…フィルター
２７…原液タンク
３１…原液
３３…供給ポンプ
３７…送液弁（第１電磁バルブ）
４７…乾燥圧縮空気供給手段
５１…乾燥圧縮空気
５３…残渣
５５…脱水ケーキ
６１…吸引ポンプ
６７…フィルター移動手段
６９…ろ過室外部
７１…フィルター繰出しロール
７３…フィルター巻取りロール
８５…隔膜シート
【図１】
2014014786.tif 000004
【図２】
2014014786.tif 000005
【図３】
2014014786.tif 000006
【図４】
2014014786.tif 000007
【図５】
2014014786.tif 000008
【図６】
2014014786.tif 000009
【図７】
2014014786.tif 000010
【図８】
2014014786.tif 000011
【図９】
2014014786.tif 000012
【図１０】
2014014786.tif 000013
【図１１】
2014014786.tif 000014
【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
微粒子固形分を含む原液を供給ポンプにて低圧でろ過室のシート状のフィルターへ送るとともに、前記ろ過室の出口側に設けた吸引ポンプにて低圧吸引ろ過を行う吸引ろ過工程と、
前記供給ポンプを停止して乾燥圧縮空気を前記ろ過室へ送ってフィルター上の残渣を加圧により脱水して脱水ケーキとする通気脱水工程と、
前記供給ポンプを停止してフィルター上の前記脱水ケーキの上に隔膜シートを被せ再び乾燥圧縮空気を前記ろ過室へ送って更に脱水する隔膜脱水工程と、
開放した前記ろ過室から前記フィルターを移動して前記フィルターごと前記脱水ケーキをろ過室外部へ排出する脱水ケーキ排出工程と、
を含むことを特徴とするろ過方法。
【請求項２】
ろ過室の出口側に設けた吸引ポンプにて微粒子固形分を含む原液を原液タンクから前記ろ過室内に吸引し、前記ろ過室のシート状のフィルターにて低圧吸引ろ過を行う吸引ろ過工程と、
前記原液タンク側の送液弁を閉じ、乾燥圧縮空気を前記ろ過室へ送ってフィルター上の残渣を加圧により脱水して脱水ケーキとする通気脱水工程と、
前記乾燥圧縮空気による加圧を停止してフィルター上の前記脱水ケーキの上に隔膜シートを被せ再び乾燥圧縮空気を前記ろ過室へ送って更に脱水する隔膜脱水工程と、
開放した前記ろ過室から前記フィルターを移動して前記フィルターごと前記脱水ケーキをろ過室外部へ排出する脱水ケーキ排出工程と、
を含むことを特徴とするろ過方法。
【請求項３】
内方にシート状のフィルターを備え微粒子固形分を含む原液が供給ポンプにて低圧で前記フィルターに送られるとともに、出口側に設けた吸引ポンプにて低圧吸引ろ過が行われるろ過室と、
前記供給ポンプが停止された状態で乾燥圧縮空気を前記ろ過室へ送ってフィルター上の残渣を加圧により脱水して脱水ケーキとする乾燥圧縮空気供給手段と、
通気性を有するシートであって、前記供給ポンプが停止された状態でフィルター上の前記脱水ケーキの上に被せられ、再び前記乾燥圧縮空気供給手段によって上側表面より前記乾燥圧縮空気にて前記脱水ケーキを加圧し、該脱水ケーキから更に水分を絞り出す隔膜シートと、
開放した前記ろ過室から前記フィルターを移動して前記フィルターごと前記脱水ケーキをろ過室外部へ排出するフィルター移動手段と、
を具備することを特徴とするろ過装置。
【請求項４】
内方にシート状のフィルターを備え、出口側に設けた吸引ポンプにて微粒子固形分を含む原液を原液タンクから吸引して低圧吸引ろ過が行われるろ過室と、
前記原液タンク側の送液弁を閉じ、乾燥圧縮空気を前記ろ過室へ送ってフィルター上の残渣を加圧により脱水して脱水ケーキとする乾燥圧縮空気供給手段と、
通気性を有するシートであって、前記乾燥圧縮空気の供給が停止された状態でフィルター上の前記脱水ケーキの上に被せられ、再び前記乾燥圧縮空気供給手段によって上側表面より前記乾燥圧縮空気にて前記脱水ケーキを加圧し、該脱水ケーキから更に水分を絞り出す隔膜シートと、
開放した前記ろ過室から前記フィルターを移動して前記フィルターごと前記脱水ケーキをろ過室外部へ排出するフィルター移動手段と、
を具備することを特徴とするろ過装置。
【請求項５】
請求項３または４記載のろ過装置であって、
前記ろ過室が、上蓋と下蓋とによって上下方向に閉鎖及び開放自在に構成され、
前記フィルターが、閉鎖された前記ろ過室の前記上蓋と前記下蓋とによって表裏方向から挟まれることを特徴とするろ過装置。
【請求項６】
請求項３または４または５記載のろ過装置であって、
フィルター移動手段が、
長尺の前記フィルターを巻装するフィルター繰出しロールと、
前記ろ過室を挟んで前記フィルター繰出しロールと反対側に設けられ前記フィルターを巻き取るフィルター巻取りロールと、を備え、
前記フィルターの新たな部分を前記ろ過室に供給可能とすることを特徴とするろ過装置。
【手続補正２】
【補正対象書類名】明細書
【補正対象項目名】００１０
【補正方法】変更
【補正の内容】
【００１０】
本発明の請求項３記載のろ過装置１１は、内方にシート状のフィルター２５を備え微粒子固形分を含む原液３１が供給ポンプ３３にて低圧で前記フィルター２５に送られるとともに、出口側に設けた吸引ポンプ６１にて低圧吸引ろ過が行われるろ過室１５と、
前記供給ポンプ３３が停止された状態で乾燥圧縮空気５１を前記ろ過室１５へ送って前記フィルター２５上の残渣５３を加圧により脱水して脱水ケーキ５５とする乾燥圧縮空気供給手段４７と、
通気性を有するシートであって、前記供給ポンプ３３が停止された状態で前記フィルター２５上の前記脱水ケーキ５５の上に被せられ、再び前記乾燥圧縮空気供給手段４７によって上側表面より前記乾燥圧縮空気５１にて前記脱水ケーキ５５を加圧し、該脱水ケーキ５５から更に水分を絞り出す隔膜シート８５と、
開放した前記ろ過室１５から前記フィルター２５を移動して前記フィルター２５ごと前記脱水ケーキ５５をろ過室外部６９へ排出するフィルター移動手段６７と、
を具備することを特徴とする。
【手続補正３】
【補正対象書類名】明細書
【補正対象項目名】００１２
【補正方法】変更
【補正の内容】
【００１２】
本発明の請求項４記載のろ過装置１１Ａは、内方にシート状のフィルター２５を備え、出口側に設けた吸引ポンプ６１にて微粒子固形分を含む原液３１を原液タンク２７から吸引して低圧吸引ろ過が行われるろ過室１５と、
前記原液タンク２７側の送液弁３７を閉じ、乾燥圧縮空気５１を前記ろ過室５１へ送ってフィルター２５上の残渣５３を加圧により脱水して脱水ケーキ５５とする乾燥圧縮空気供給手段４７と、
通気性を有するシートであって、前記乾燥圧縮空気５１の供給が停止された状態でフィルター２５上の前記脱水ケーキ５５の上に被せられ、再び前記乾燥圧縮空気供給手段４７によって上側表面より前記乾燥圧縮空気５１にて前記脱水ケーキ５５を加圧し、該脱水ケーキ５５から更に水分を絞り出す隔膜シート８５と、
開放した前記ろ過室１５から前記フィルター２５を移動して前記フィルター２５ごと前記脱水ケーキ５５をろ過室外部６９へ排出するフィルター移動手段６７と、
を具備することを特徴とする。